(57)【要約】      （修正有）【課題】輸送や保管に要するスペースを低減でき、容易かつ低コストでの製造が可能であり、リサイクルも容易なリールを提供する。【解決手段】リールは、樹脂シートの真空成形品よりなる第１の分割体２ａと第２の分割体２ｂとを備える。第１の分割体２ａの第１の平面部３ａには、切り込みと、爪と、凸部６とが設けられる。一方、第２の分割体２ｂの第２の平面部３ｂには、切り込み７ｂと、爪８ｂと、凹部９とが設けられる。第１の分割体２ａ及び第２の分割体２ｂは、切り込みと爪とから成る係合構造と、凸部６及び凹部９からなる嵌合構造とによって、着脱自在に一体化される。また、第１の分割体２ａ及び第２の分割体２ｂは、分離されている状態で互いに重ね合わせ可能である。【選択図】図２
2013035646.tif 000002
【特許請求の範囲】
【請求項１】
テープ状の部材を巻回するために用いるリールであって、
樹脂シートの真空成形品よりなり、円形の第１の平面部と、前記第１の平面部の外周縁から立ち上がる逆テーパー形状の第１のテーパー部と、前記第１テーパー部の外周縁に接続され、前記第１の平面部を含む平面とほぼ平行な方向に拡がるように延びる円環状の第１のフランジ部とを有する第１の分割体と、
樹脂シートの真空成形品よりなり、前記第１の平面部と、前記第１のテーパー部と、前記第１のフランジ部とのそれぞれに対応する第２の平面部と、第２のテーパー部と、第２のフランジ部とを有する第２の分割体とを備え、
前記第１の平面部及び前記第２の平面部には、着脱自在に嵌合可能な第１の嵌合部及び第２の嵌合部が設けられており、
前記第１の分割体及び前記第２の分割体は、前記第１の平面部及び前記第２の平面部の外面同士を接触させた状態で前記第１の嵌合部と前記第２の嵌合部とが嵌合することによって一体化され、一体化されていない状態では重ね合わせ可能である、リール。
【請求項２】
前記第１の嵌合部は、前記第１の平面部に切り込みを入れることによって形成される複数の第１の爪と、前記第１の平面部から外方に突出する凸部とを含み、
前記第２の嵌合部は、前記第１の平面部に切り込みを入れることによって形成される複数の第２の爪と、前記第１の平面部から内方に窪む凹部とを含み、
前記第１の平面部及び前記第２の平面部の外面同士を互いに接触させ、かつ、前記第１の分割体及び前記第２の分割体の中心軸同士をほぼ一致させた状態で、前記中心軸周りに前記第１の分割体及び前記第２の分割体を互いに逆方向に回転させることによって、前記第１の爪及び前記第２の爪が互いに噛み合うと共に、前記凹部に前記凸部が嵌合して、前記第１の分割体及び前記第２の分割体の相対回転を規制する、請求項１に記載のリール。
【請求項３】
前記第１のフランジ部及び前記第２のフランジ部には、内周側から外周側へと放射状に延びる複数のリブが設けられる、請求項１または２に記載のリール。
【発明の詳細な説明】
【技術分野】
【０００１】
本発明は、テープ状の部材を巻回するために用いられるリールに関する。
【背景技術】
【０００２】
従来、微小な電子部品の輸送や保管、実装装置への供給を容易にするために、電子部品を固定または収納するキャリアテープが広く利用されている。キャリアテープは、長尺状であり、リールに巻回した状態で輸送や保管がされることが一般的である。
【０００３】
特許文献１には、プラスチックシートの真空成型により形成された一対の半割体からなるリールが記載されている。特許文献１では、一対の半割体からリールを組み立てる際に、半割体の突成面同士を互いに対抗させた状態とし、突成面間を接着剤、超音波、加熱によって固定的に接着している。
【先行技術文献】
【特許文献】
【０００４】
【特許文献１】実開昭６０−８５５５７号公報
【発明の概要】
【発明が解決しようとする課題】
【０００５】
しかしながら、特許文献１に記載のように半割体同士を完全に固着してしまうと、リールが嵩張るために輸送や保管に要するスペースが大きくなり、輸送コストや保管コストの増加に繋がる。これは、リールの輸送時全てにおいて生じる問題であり、例えば、キャリアテープに収納された部品の実装後に、使用済みリールを再利用のために部品メーカーに返却する場合にも生じる。
【０００６】
また、接着剤で半割体を接着した場合には、接着剤の分だけ、リールの製造コストが高くなってしまう。接着剤を用いた場合には、リールの樹脂材料をリサイクルする際の分別が困難となるという問題もある。
【０００７】
更に、熱溶着や超音波溶着で半割体同士を接合する場合、半割体の大きさ毎に専用の溶着装置が必要となるため、製造の容易さや製造コストの面で問題がある。
【０００８】
それ故に、本発明は、輸送や保管に要するスペースを低減でき、容易かつ低コストでの製造が可能であり、リサイクルも容易なリールを提供することを目的とする。
【課題を解決するための手段】
【０００９】
本発明は、テープ状の部材を巻回するために用いるリールに関する。本発明に係るリールは、樹脂シートの真空成形品よりなり、円形の第１の平面部と、第１の平面部の外周縁から立ち上がる逆テーパー形状の第１のテーパー部と、第１テーパー部の外周縁に接続され、第１の平面部を含む平面とほぼ平行な方向に拡がるように延びる円環状の第１のフランジ部とを有する第１の分割体と、樹脂シートの真空成形品よりなり、第１の平面部と、第１のテーパー部と、第１のフランジ部とのそれぞれに対応する第２の平面部と、第２のテーパー部と、第２のフランジ部とを有する第２の分割体とを備える。第１の平面部及び第２の平面部には、着脱自在に嵌合可能な第１の嵌合部及び第２の嵌合部が設けられる。更に、第１の分割体及び第２の分割体は、第１の平面部及び第２の平面部の外面同士を接触させた状態で第１の嵌合部と第２の嵌合部とが嵌合することによって一体化され、一体化されていない状態では重ね合わせ可能である。
【発明の効果】
【００１０】
本発明によれば、第１の分割体及び第２の分割体を分離させて重ね合わせることができるため、リールの輸送や保管に要するスペースを低減できる。また、第１の分割体と第2の分割体とは嵌合によって組み合わされるため、接着剤や専用の溶着装置が不要となり、容易かつ低コストでリールの製造が可能となると共に、リールの廃棄時のリサイクルが容易となる。
【図面の簡単な説明】
【００１１】
【図１】実施形態に係るリールの斜視図
【図２】実施形態に係るリールの分解斜視図
【図３】図１に示されるリールの平面図
【図４】図３に示されるＩＶ−ＩＶラインから見た図
【図５】図３に示されるＶ−Ｖラインに沿った断面図
【図６】図３に示されるＶＩ−ＶＩラインに沿った断面図
【図７】第１の分割体及び第２の分割体の重ね合わせ方法を示す図
【図８】変形例に係るリールの平面図
【発明を実施するための形態】
【００１２】
図１は、実施形態に係るリールの斜視図であり、図２は、実施形態に係るリールの分解斜視図であり、図３は、図１に示されるリールの平面図であり、図４は、図３に示されるＩＶ−ＩＶラインから見た図であり、図５は、図３に示されるＶ−Ｖラインに沿った断面図であり、図６は、図３に示されるＶＩ−ＶＩラインに沿った断面図である。
【００１３】
図１に示されるリール１は、電子部品を収容したキャリアテープ等のテープ状の部材を巻回するために用いられるものであり、樹脂シートの真空成形品よりなる第１の分割体２ａ及び第２の分割体２ｂから構成される。
【００１４】
第１の分割体２ａは、図２〜５に示されるように、円形の第１の平面部３ａと、第１の平面部３ａの外周縁から立ち上がる逆テーパー形状の第１のテーパー部４ａと、第１のテーパー部４ａに接続され、第１の平面部３ａを含む平面と平行に外方に広がるように延びる第１のフランジ部５ａとを含む。第１の平面部３ａの中心部には、リール１を装置の回転機構に取り付けるために用いられる開口部１０ａが形成されている。開口部１０ａの周縁部には、図５に示すように、第１のフランジ部５ａを含む平面とは反対方向（図５における下方向）に突出する凸部６が形成されている。更に、第１の平面部３ａにおける開口部１０ａの外方側の領域には、図２に示すように、第１の平面部３ａにＵ字型の切り込み７ａを入れることによって形成される複数の爪８ａが周方向に間欠的に配置されている。尚、爪８ａと凸部６とによって、第１の嵌合部が構成されている。
【００１５】
第２の分割体２ｂは、第１の分割体２ａとほぼ同一形状を有しており、図２〜５に示されるように、円形の第２の平面部３ｂと、第２の平面部３ｂの外周縁から立ち上がる逆テーパー形状の第２のテーパー部４ｂと、第２のテーパー部４ｂに接続され、第２の平面部３ｂを含む平面と平行に外方に広がるように延びる第２のフランジ部５ｂとを含む。尚、第２の平面部３ｂ、第２のテーパー部４ｂ及び第２のフランジ部５ｂのそれぞれは、第１の平面部３ａ、第１のテーパー部４ａ及び第１のフランジ部５ａのそれぞれと同じ形状及び同じ寸法を有する。第２の平面部３ｂの中心部には、リール１を装置の回転機構に取り付けるために用いられる開口部１０ｂが形成されている。開口部１０ｂの周縁部には、図５に示すように、第２のフランジ部５ｂを含む平面に向かう方向（図５における下方向）側に窪む凹部９が形成されている。更に、第２の平面部３ｂにおける開口部１０ｂの外方側の領域には、図２に示すように、第２の平面部３ｂにＵ字型の切り込み７ｂを入れることによって形成される複数の爪８ｂが周方向に間欠的に配置されている。尚、爪８ｂと凹部９とによって、第１の嵌合部が構成されている。
【００１６】
ここで、リール１の組み立て方法及び分解方法を説明する。
【００１７】
リール１を組み立てるには、図２において二点鎖線で示すように、第１の平面部３ａの外面と第２の平面部３ｂの外面とを互いに接触させ、かつ、第１の分割体２ａの中心軸と第２の分割体２ｂの中心軸とをほぼ一致させた状態とし、ほぼ一致させた中心軸周りに、第１の分割体２ａ及び第２の分割体２ｂを互いに逆方向に回転させる。第１の分割体２ａ及び第２の分割体２ｂを相対回転させる過程において、第１の分割体２ａの爪８ａを第２の平面部３ｂに形成された切り込み７ａに差し込み、更に、第２の分割体２ｂの爪８ｂを第１の平面部３ａに形成された切り込み７ｂに差し込む。この結果、図６に示すように、爪８ａ及び８ｂが噛み合って、第１の分割体２ａと第２の分割体２ｂとが係合する。また、爪８ａ及び８ｂが噛み合うと、第１の分割体２ａの凸部６が、第２の分割体２ｂの凹部９に嵌まり込む。凸部６及び凹部９が嵌合することによって、第１の分割体２ａと第２の分割体２ｂとの相対回転が規制されるため、第１の分割体２ａと第２の分割体２ｂとの嵌合状態が保持される。
【００１８】
一方、リール１を分解する際には、第１の分割体２ａ及び第２の分割体２ｂを組み立て時とは逆方向（図２の矢印と反対の方向）に相対回転させることによって、凸部６と凹部９との嵌合と、爪８ａ及び８ｂの係合とが解除される。
【００１９】
図７は、第１の分割体及び第２の分割体の重ね合わせ方法を示す図である。
【００２０】
上述したように、第１の分割体２ａ及び第２の分割体２ｂは、凸部６と凹部９を除いて、同じ形状及び大きさを有するように形成されている。したがって、第１の分割体２ａ及び第２の分割体２ｂが分離されている状態では、図７に示すように、第１のテーパー部３ａと第２のテーパー部３ｂとの向きを揃えて重ね合わせることが可能である。図７のように、第１の分割体２ａと第２の分割体２ｂとを重ね合わせることに代えて、複数の第１の分割体２ａ同士を重ね合わせ、複数の第２の分割体２ｂ同士を重ね合わせることももちろん可能である。このように、リール１を分解した際には、第１の分割体２ａ及び第２の分割体２ｂを積み重ねることができるため、リール１を分解せずに積み重ねる場合と比べて、第１の分割体２ａ及び第２の分割体２ｂの輸送や保管に要するスペースを低減することができる。
【００２１】
図８は、変形例に係るリールの平面図である。
【００２２】
図８に示したリール１は、上述した第１の分割体２ａ及び第２の分割体２ｂに更に、複数のリブ１１と、複数の窓部１２とを設けたものである。第１の分割体２ａにおいて、複数のリブ１１は、第１のフランジ部５ａの内周側から外周側へと放射状に延びるように形成されている。また、第１のフランジ部５ａに設けられた窓部１２は、リール１に巻回されたテープ状部材の残量を外部から把握できるようにするためのものである。尚、図８においては、リール１のうち、第１の分割体２ａ側部分のみを図示しているが、第１の分割体２ａの裏側にある第２の分割体２ｂにも、同様のリブ１１及び窓部１２が形成されている。このように複数のリブ１１を設けることによって、第１のフランジ部５ａ及び第２のフランジ部５ｂの剛性を向上させることができる。
【００２３】
以上説明したように、本実施形態では、切り込み７ａ及び７ｂと、爪８ａ及び８ｂとからなる係合構造と、凸部６及び凹部９からなる嵌合構造とによって、第１の分割体２ａ及び第２の分割体２ｂが着脱自在に嵌合される。これにより、接着剤による接着や熱溶着を行うことなく、容易かつ低コストに製造が可能なリール１を実現できる。また、接着や溶着を行わないため、リール１を第１の分割体２ａ及び第２の分割体２ｂに容易に分解することができ、分解した第１の分割体２ａ及び第２の分割体２ｂを積み重ねることによって、輸送や保管時のスペースを低減することができる。更に、リール１の組み立てに接着剤を用いないことから、リール１の廃棄時の分別作業が不要となり、リサイクルも容易となる。
【００２４】
尚、上記の実施形態においては、開口部の周縁部分に沿って凸部及び凹部を設けているが、凸部及び凹部の形成位置及び形状は任意である。例えば、凸部及び凹部が半球状であっても良い。
【００２５】
また、上記の実施形態では、第１の平面部に凸部を設け、第２の平面部に凹部を設けているが、第１の平面部及び第２の平面部の両方に凸部と凹部とを設け、第１の平面部の凸部と第２の平面部の凹部とが嵌合し、かつ、第１の平面部の凹部と第２の平面部の凸部とが嵌合するようにしても良い。
【００２６】
更に、上記の実施形態では、爪を形成するための切り込みをＵ字型としているが、Ｖ字型でも良い。
【００２７】
更に、上記の実施形態では、凸部または凹部と爪とによって嵌合部が構成されているが、第１の分割体と第２の分割体とを着脱自在に嵌合できるものであれば、嵌合部の構成は任意である。例えば、逆テーパー状の凸部と、逆テーパー状の凹部とによって、第１の分割体と第２の分割体とを嵌合させても良い。
【００２８】
更に、上記の実施形態では、第１の平面部及び第２の平面部の両方に爪を形成しているが、第１の平面部及び第２の平面部のいずれか一方にのみ爪を設け、他方に爪が挿入されるスリットを設けても良い。また、第１の平面部及び第２の平面部の両方に爪とスリットとを設け、第１の平面部の爪と第２の平面部のスリットとが係合し、かつ、第１の平面部のスリットと第２の平面部の爪とが係合するようにしても良い。
【００２９】
更に、上記の実施形態の変形例では、リブの形状が特定されているが、リブの形状は任意である。
【産業上の利用可能性】
【００３０】
本発明は、電子部品を収納したキャリアテープを初めとする、種々のテープ状部材を巻回するためのリールに利用できる。
【符号の説明】
【００３１】
１  リール
２ａ  第１の分割体
２ｂ  第２の分割体
３ａ  第１の平面部
３ｂ  第２の平面部
４ａ  第１のテーパー部
４ｂ  第２のテーパー部
５ａ  第１のフランジ部
５ｂ  第２のフランジ部
６  凸部
７ａ、７ｂ  切り込み
８ａ、８ｂ  爪
９  凹部
１０  開口部
１１  リブ
１２  窓部
【図１】
2013035646.tif 000003
【図２】
2013035646.tif 000004
【図３】
2013035646.tif 000005
【図４】
2013035646.tif 000006
【図５】
2013035646.tif 000007
【図６】
2013035646.tif 000008
【図７】
2013035646.tif 000009
【図８】
2013035646.tif 000010